(57)【特許請求の範囲】
【請求項１】
ネットワークノードにおいて動作可能なワイヤレス通信の方法であって、
前記ネットワークノードに関連付けられたユーザ機器（ＵＥ）に同期能力要求を送信することと、
前記同期能力要求への応答として前記ＵＥから同期能力応答を受信することと、前記同期能力応答は、前記ＵＥが同期情報に関連する測定を実行する能力を示し、
前記ＵＥが前記同期情報に関連する前記測定を実行することが可能である場合、前記ＵＥに同期支援データを送信することと、
前記同期情報を取得するために前記ＵＥに同期情報要求を送信することと、前記同期情報要求は、前記同期支援データとは別に送信され、
前記ＵＥから少なくとも１つのターゲットセルの前記同期情報を受信することと、
前記受信された同期情報に基づいて、前記ネットワークノードの時間および周波数を前記少なくとも１つのターゲットセルの時間および周波数と同期させることと
を備える、方法。
【請求項２】
前記ネットワークノードが、フェムトセル、スモールセル、低電力セル、ピコセル、またはメトロセルを備え、前記少なくとも１つのターゲットセルがマクロセルを備える、請求項１に記載の方法。
【請求項３】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項１に記載の方法。
【請求項４】
前記同期情報が周波数間測定値または周波数内測定値を備える、請求項１に記載の方法。
【請求項５】
前記同期情報が、前記少なくとも１つのターゲットセルの第１の基準信号と前記ネットワークノードの第２の基準信号との間の時間オフセットを備える、請求項１に記載の方法。
【請求項６】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項５に記載の方法。
【請求項７】
前記同期情報が、前記第１の基準信号と前記第２の基準信号との間の周波数オフセットをさらに備える、請求項５に記載の方法。
【請求項８】
前記時間および周波数を同期させることが、前記同期情報に基づいて、前記少なくとも１つのターゲットセルの第１の基準信号と前記ネットワークノードの第２の基準信号との間の周波数オフセットを決定することを備える、請求項１に記載の方法。
【請求項９】
前記周波数オフセットが前記ＵＥまたは前記ネットワークノードにおいて計算される、請求項８に記載の方法。
【請求項１０】
ユーザ機器（ＵＥ）において動作可能なワイヤレス通信の方法であって、
前記ＵＥをサービスしているネットワークノードから同期能力要求を受信することと、
前記同期能力要求への応答として前記ネットワークノードに同期能力応答を送信することと、前記同期能力応答は、前記ＵＥが同期情報に関連する測定を実行する能力を示し、
前記ＵＥが前記同期情報に関連する前記測定を実行することが可能である場合、前記ネットワークノードから同期支援データを受信することと、
前記同期情報を取得するために前記ネットワークノードから同期情報要求を受信することと、前記同期情報要求は、前記同期支援データとは別に受信され、
前記同期支援データに基づいて少なくとも１つのターゲットセルの前記同期情報を取得することと、
前記同期情報を前記ネットワークノードに送信することと
を備える、方法。
【請求項１１】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項１０に記載の方法。
【請求項１２】
前記同期情報が周波数間測定値または周波数内測定値を備える、請求項１０に記載の方法。
【請求項１３】
前記同期情報が、前記少なくとも１つのターゲットセルの第１の基準信号と前記ネットワークノードの第２の基準信号との間の時間オフセットを備える、請求項１０に記載の方法。
【請求項１４】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項１３に記載の方法。
【請求項１５】
前記同期情報が、前記第１の基準信号と前記第２の基準信号との間の周波数オフセットをさらに備える、請求項１３に記載の方法。
【請求項１６】
前記第１の基準信号と前記第２の基準信号との間の複数の時間オフセットに基づいて前記周波数オフセットを決定することをさらに備える、請求項１５に記載の方法。
【請求項１７】
前記同期情報を取得することが、
前記少なくとも１つのターゲットセルからの第１の基準信号と、前記ネットワークノードからの第２の基準信号とを受信することと、
前記第１の基準信号と前記第２の基準信号との間のタイミング差を決定することと
を備える、請求項１０に記載の方法。
【請求項１８】
ネットワークノードであって、
前記ネットワークノードに関連付けられたユーザ機器（ＵＥ）に同期能力要求を送信するための手段と、
前記同期能力要求への応答として前記ＵＥから同期能力応答を受信するための手段と、前記同期能力応答は、前記ＵＥが同期情報に関連する測定を実行する能力を示し、
前記ＵＥが前記同期情報に関連する前記測定を実行することが可能である場合、前記ＵＥに同期支援データを送信するための手段と、
前記同期情報を取得するために前記ＵＥに同期情報要求を送信するための手段と、前記同期情報要求は、前記同期支援データとは別に送信され、
前記ＵＥから少なくとも１つのターゲットセルの前記同期情報を受信するための手段と、
前記受信された同期情報に基づいて、前記ネットワークノードの時間および周波数を前記少なくとも１つのターゲットセルの時間および周波数と同期させるための手段と
を備える、ネットワークノード。
【請求項１９】
前記ネットワークノードが、フェムトセル、スモールセル、低電力セル、ピコセル、またはメトロセルを備え、前記少なくとも１つのターゲットセルがマクロセルを備える、請求項１８に記載のネットワークノード。
【請求項２０】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項１８に記載のネットワークノード。
【請求項２１】
前記同期情報が周波数間測定値または周波数内測定値を備える、請求項１８に記載のネットワークノード。
【請求項２２】
前記同期情報が、前記少なくとも１つのターゲットセルの第１の基準信号と前記ネットワークノードの第２の基準信号との間の時間オフセットを備える、請求項１８に記載のネットワークノード。
【請求項２３】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項２２に記載のネットワークノード。
【請求項２４】
前記同期情報が、前記第１の基準信号と前記第２の基準信号との間の周波数オフセットをさらに備える、請求項２２に記載のネットワークノード。
【請求項２５】
前記時間および周波数を同期させるための前記手段が、前記同期情報に基づいて、前記少なくとも１つのターゲットセルの第１の基準信号と前記ネットワークノードの第２の基準信号との間の周波数オフセットを決定するための手段を備える、請求項１８に記載のネットワークノード。
【請求項２６】
前記周波数オフセットが前記ＵＥまたは前記ネットワークノードにおいて計算される、請求項２５に記載のネットワークノード。
【請求項２７】
ユーザ機器（ＵＥ）であって、
前記ＵＥをサービスしているネットワークノードから同期能力要求を受信するための手段と、
前記同期能力要求への応答として前記ネットワークノードに同期能力応答を送信するための手段と、前記同期能力応答は、前記ＵＥが同期情報に関連する測定を実行する能力を示し、
前記ＵＥが前記同期情報に関連する前記測定を実行することが可能である場合、前記ネットワークノードから同期支援データを受信するための手段と、
前記同期情報を取得するために前記ネットワークノードから同期情報要求を受信するための手段と、前記同期情報要求は、前記同期支援データとは別に受信され、
同期支援データに基づいて少なくとも１つのターゲットセルの前記同期情報を取得するための手段と、
前記同期情報を前記ネットワークノードに送信するための手段と
を備える、ＵＥ。
【請求項２８】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項２７に記載のＵＥ。
【請求項２９】
前記同期情報が周波数間測定値または周波数内測定値を備える、請求項２７に記載のＵＥ。
【請求項３０】
前記同期情報が、前記少なくとも１つのターゲットセルの第１の基準信号と前記ネットワークノードの第２の基準信号との間の時間オフセットを備える、請求項２７に記載のＵＥ。
【請求項３１】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項３０に記載のＵＥ。
【請求項３２】
前記同期情報が、前記第１の基準信号と前記第２の基準信号との間の周波数オフセットをさらに備える、請求項３０に記載のＵＥ。
【請求項３３】
前記第１の基準信号と前記第２の基準信号との間の複数の時間オフセットに基づいて前記周波数オフセットを決定するための手段をさらに備える、請求項３２に記載のＵＥ。
【請求項３４】
前記同期情報を取得するための前記手段が、
前記少なくとも１つのターゲットセルからの第１の基準信号と、前記ネットワークノードからの第２の基準信号とを受信するための手段と、
前記第１の基準信号と前記第２の基準信号との間のタイミング差を決定するための手段と
を備える、請求項２７に記載のＵＥ。
【請求項３５】
ネットワークノードに、
前記ネットワークノードに関連付けられたユーザ機器（ＵＥ）に同期能力要求を送信することと、
前記同期能力要求への応答として前記ＵＥから同期能力応答を受信することと、前記同期能力応答は、前記ＵＥが同期情報に関連する測定を実行する能力を示し、
前記ＵＥが前記同期情報に関連する前記測定を実行することが可能である場合、前記ＵＥに同期支援データを送信することと、
前記同期情報を取得するために前記ＵＥに同期情報要求を送信することと、前記同期情報要求は、前記同期支援データとは別に送信され、
前記ＵＥから少なくとも１つのターゲットセルの前記同期情報を受信することと、
前記受信された同期情報に基づいて、前記ネットワークノードの時間および周波数を前記少なくとも１つのターゲットセルの時間および周波数と同期させることと
を行わせるためのコードを備えるコンピュータプログラム。
【請求項３６】
前記ネットワークノードが、フェムトセル、スモールセル、低電力セル、ピコセル、またはメトロセルを備え、前記少なくとも１つのターゲットセルがマクロセルを備える、請求項３５に記載のコンピュータプログラム。
【請求項３７】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項３５に記載のコンピュータプログラム。
【請求項３８】
前記同期情報が周波数間測定値または周波数内測定値を備える、請求項３５に記載のコンピュータプログラム。
【請求項３９】
前記同期情報が、前記少なくとも１つのターゲットセルの第１の基準信号と前記ネットワークノードの第２の基準信号との間の時間オフセットを備える、請求項３５に記載のコンピュータプログラム。
【請求項４０】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項３９に記載のコンピュータプログラム。
【請求項４１】
前記同期情報が、前記第１の基準信号と前記第２の基準信号との間の周波数オフセットをさらに備える、請求項３９に記載のコンピュータプログラム。
【請求項４２】
前記時間および周波数を同期させるための前記コードが、前記ネットワークノードに、前記同期情報に基づいて、前記少なくとも１つのターゲットセルの第１の基準信号と前記ネットワークノードの第２の基準信号との間の周波数オフセットを決定することを行わせるためのコードをさらに備える、請求項３５に記載のコンピュータプログラム。
【請求項４３】
前記周波数オフセットが前記ＵＥまたは前記ネットワークノードにおいて計算される、請求項４２に記載のコンピュータプログラム。
【請求項４４】
ユーザ機器（ＵＥ）に、
前記ＵＥをサービスしているネットワークノードから同期能力要求を受信することと、
前記同期能力要求への応答として前記ネットワークノードに同期能力応答を送信することと、前記同期能力応答は、前記ＵＥが同期情報に関連する測定を実行する能力を示し、
前記ＵＥが前記同期情報に関連する前記測定を実行することが可能である場合、前記ネットワークノードから同期支援データを受信することと、
前記同期情報を取得するために前記ネットワークノードから同期情報要求を受信することと、前記同期情報要求は、前記同期支援データとは別に受信され、
前記同期支援データに基づいて少なくとも１つのターゲットセルの前記同期情報を取得することと、
前記同期情報を前記ネットワークノードに送信することと
を行わせるためのコードを備えるコンピュータプログラム。
【請求項４５】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項４４に記載のコンピュータプログラム。
【請求項４６】
前記同期情報が周波数間測定値または周波数内測定値を備える、請求項４４に記載のコンピュータプログラム。
【請求項４７】
前記同期情報が、前記少なくとも１つのターゲットセルの第１の基準信号と前記ネットワークノードの第２の基準信号との間の時間オフセットを備える、請求項４４に記載のコンピュータプログラム。
【請求項４８】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項４７に記載のコンピュータプログラム。
【請求項４９】
前記同期情報が、前記第１の基準信号と前記第２の基準信号との間の周波数オフセットをさらに備える、請求項４７に記載のコンピュータプログラム。
【請求項５０】
前記ＵＥに、前記第１の基準信号と前記第２の基準信号との間の複数の時間オフセットに基づいて前記周波数オフセットを決定することを行わせるためのコードをさらに備える、請求項４９に記載のコンピュータプログラム。
【請求項５１】
前記同期情報を取得するための前記コードが、前記ＵＥに、
前記少なくとも１つのターゲットセルからの第１の基準信号と、前記ネットワークノードからの第２の基準信号とを受信することと、
前記第１の基準信号と前記第２の基準信号との間のタイミング差を決定することと
を行わせるためのコードを備える、請求項４４に記載のコンピュータプログラム。
【請求項５２】
ネットワークノードであって、
少なくとも１つのプロセッサと、
前記少なくとも１つのプロセッサに結合された通信インターフェースと、
前記少なくとも１つのプロセッサに結合されたメモリと
を備え、ここにおいて、前記少なくとも１つのプロセッサが、
前記ネットワークノードに関連付けられたユーザ機器（ＵＥ）に同期能力要求を送信することと、
前記同期能力要求への応答として前記ＵＥから同期能力応答を受信することと、前記同期能力応答は、前記ＵＥが同期情報に関連する測定を実行する能力を示し、
前記ＵＥが前記同期情報に関連する前記測定を実行することが可能である場合、前記ＵＥに同期支援データを送信することと、
前記同期情報を取得するために前記ＵＥに同期情報要求を送信することと、前記同期情報要求は、前記同期支援データとは別に送信され、
前記ＵＥから少なくとも１つのターゲットセルの前記同期情報を受信することと、
前記受信された同期情報に基づいて、前記ネットワークノードの時間および周波数を前記少なくとも１つのターゲットセルの時間および周波数と同期させることと
を行うように構成された、ネットワークノード。
【請求項５３】
前記ネットワークノードが、フェムトセル、スモールセル、低電力セル、ピコセル、またはメトロセルを備え、前記少なくとも１つのターゲットセルがマクロセルを備える、請求項５２に記載のネットワークノード。
【請求項５４】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項５２に記載のネットワークノード。
【請求項５５】
前記同期情報が周波数間測定値または周波数内測定値を備える、請求項５２に記載のネットワークノード。
【請求項５６】
前記同期情報が、前記少なくとも１つのターゲットセルの第１の基準信号と前記ネットワークノードの第２の基準信号との間の時間オフセットを備える、請求項５２に記載のネットワークノード。
【請求項５７】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項５６に記載のネットワークノード。
【請求項５８】
前記同期情報が、前記第１の基準信号と前記第２の基準信号との間の周波数オフセットをさらに備える、請求項５６に記載のネットワークノード。
【請求項５９】
前記時間および周波数を同期させるために、前記少なくとも１つのプロセッサが、前記同期情報に基づいて、前記少なくとも１つのターゲットセルの第１の基準信号と前記ネットワークノードの第２の基準信号との間の周波数オフセットを決定するようにさらに構成された、請求項５２に記載のネットワークノード。
【請求項６０】
前記周波数オフセットが前記ＵＥまたは前記ネットワークノードにおいて計算される、請求項５９に記載のネットワークノード。
【請求項６１】
ユーザ機器（ＵＥ）であって、
少なくとも１つのプロセッサと、
前記少なくとも１つのプロセッサに結合された通信インターフェースと、
前記少なくとも１つのプロセッサに結合されたメモリと
を備え、ここにおいて、前記少なくとも１つのプロセッサが、
前記ＵＥをサービスしているネットワークノードから同期能力要求を受信することと、
前記同期能力要求への応答として前記ネットワークノードに同期能力応答を送信することと、前記同期能力応答は、前記ＵＥが同期情報に関連する測定を実行する能力を示し、
前記ＵＥが前記同期情報に関連する前記測定を実行することが可能である場合、前記ネットワークノードから同期支援データを受信することと、
前記同期情報を取得するために前記ネットワークノードから同期情報要求を受信することと、前記同期情報要求は、前記同期支援データとは別に受信され、
前記同期支援データに基づいて少なくとも１つのターゲットセルの前記同期情報を取得することと、
前記同期情報を前記ネットワークノードに送信することと
を行うように構成された、ＵＥ。
【請求項６２】
前記同期支援データが、前記少なくとも１つのターゲットセルの識別情報、周波数、および帯域幅情報のうちの少なくとも１つ、または前記少なくとも１つのターゲットセルの基準信号構成を備える、
請求項６１に記載のＵＥ。
【請求項６３】
前記同期情報が周波数間測定値または周波数内測定値を備える、請求項６１に記載のＵＥ。
【請求項６４】
前記同期情報が、前記少なくとも１つのターゲットセルの第１の基準信号と前記ネットワークノードの第２の基準信号との間の時間オフセットを備える、請求項６１に記載のＵＥ。
【請求項６５】
前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、請求項６４に記載のＵＥ。
【請求項６６】
前記同期情報が、前記第１の基準信号と前記第２の基準信号との間の周波数オフセットをさらに備える、請求項６４に記載のＵＥ。
【請求項６７】
前記少なくとも１つのプロセッサが、
前記第１の基準信号と前記第２の基準信号との間の複数の時間オフセットに基づいて前記周波数オフセットを決定すること
を行うようにさらに構成された、請求項６６に記載のＵＥ。
【請求項６８】
前記同期情報を取得するために、前記少なくとも１つのプロセッサが、
前記少なくとも１つのターゲットセルからの第１の基準信号と、前記ネットワークノードからの第２の基準信号とを受信することと、
前記第１の基準信号と前記第２の基準信号との間のタイミング差を決定することと
を行うようにさらに構成された、請求項６１に記載のＵＥ。
【発明の詳細な説明】
【技術分野】
【０００１】
関連出願の相互参照
[0001]本出願は、その内容全体が参照により本明細書に組み込まれる、２０１３年９月３０日に米国特許商標庁に出願された米国非仮特許出願第１４／０４２，５２３号の優先権および利益を主張する。
【０００２】
[0002]本開示の態様は、一般にワイヤレス通信システムに関し、より詳細には、スモールセルの時間および周波数同期に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。本開示の様々な態様では、これらの改善は、他の多元接続技術と、これらの技術を採用する電気通信規格とに適用可能であるべきである。
【０００５】
[0005]現代のセルラー通信システム内で、異種ネットワークが最近大きな注目を集めている。異種ネットワークでは、特に、しばしばマクロセルと呼ばれる高電力基地局からの信号が屋内などのいくつかのエリアに到達することができない、市街地において、より完全なカバレージを与えるために、異なるサイズおよび電力レベルの基地局が一緒に動作する。したがって、異種ネットワークは、屋内ロケーションにおけるカバレージを改善するために、しばしばマイクロセル、ピコセル、およびフェムトセルと呼ばれる１つまたは複数のタイプの低電力基地局を含み得る。
【０００６】
[0006]特に、フェムトセルは、セルラーネットワークとのワイヤード通信のために、ネットワークバックホールとしてインターネット通信のために展開された既存のインフラストラクチャを利用する。このようにして、たとえば、ユーザは、ケーブルまたはＤＳＬモデムを通してフェムトセルをインターネットに接続することによって、改善されたセルラーカバレージが望まれる屋内ロケーションにおいてフェムトセルを展開し得る。
【０００７】
[0007]ＬＴＥは、非同期構成と同期構成の両方をサポートすることができる。ＬＴＥが同期構成で展開されるとき、（ＬＴＥ規格ではホームｅノードＢまたはＨｅＮＢと呼ばれる）フェムトセル動作のために時間および周波数同期が重要である。一般に、フェムトセルは、ネットワークバックホール（たとえば、ネットワークタイムプロトコル（ＮＴＰ：Network Time Protocol）、高精度時間プロトコル（ＰＴＰ：Precision Time Protocol）、または他の変形態）から、「ネットワークリッスン」回路（たとえば、近くのマクロセルから送信された、エアチャネルからの情報を受信し、解釈することができるＲＦ回路）から、および／またはＧＰＳベースの方法を利用することによって、それのクロック時間を導出することができる。
【０００８】
[0008]しかしながら、同期要件を満たすことはフェムトセルでは特に難しい。フェムトセルは、概して、限られたオペレータ制御を伴う屋内環境における低コストの未計画展開である。さらに、マクロセルとの緩い協調および信頼できないバックホール接続性があり得る。一般に、フェムトセルは、頻繁な時間または周波数オフセット補正を必要とする低コストまたは低品質の発振器を使用する。さらに、ＧＰＳおよびマクロセル信号の受信品質は、フェムトセル配置およびロケーションに基づいて著しく変化することがあり、バックホールベース同期は時間精度要件を満たさないことがある。
【発明の概要】
【０００９】
[0009]以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【００１０】
[0010]一態様では、本開示は、ネットワークノードにおいて動作可能なワイヤレス通信の方法を提供する。ネットワークノードは、ネットワークノードに関連付けられたユーザ機器（ＵＥ）に同期能力要求を送信する。ネットワークノードは、同期能力要求への応答としてＵＥから同期能力応答を受信する。ネットワークノードは、ＵＥから少なくとも１つのターゲットセルの同期情報を受信する。ネットワークノードは、受信された同期情報に基づいて、ネットワークノードの時間および周波数を少なくとも１つのターゲットセルの時間および周波数と同期させる。
【００１１】
[0011]本開示の別の態様は、ユーザ機器（ＵＥ）において動作可能なワイヤレス通信の方法を提供する。ＵＥは、ＵＥをサービスしているネットワークノードから同期能力要求を受信する。ＵＥは、同期能力要求への応答としてネットワークノードに同期能力応答を送信する。ＵＥは、少なくとも１つのターゲットセルの同期情報を取得する。ＵＥは同期情報をネットワークノードに送信する。
【００１２】
[0012]本開示の別の態様はネットワークノードを提供する。ネットワークノードは、ネットワークノードに関連付けられたユーザ機器（ＵＥ）に同期能力要求を送信するための手段と、同期能力要求への応答としてＵＥから同期能力応答を受信するための手段と、ＵＥから少なくとも１つのターゲットセルの同期情報を受信するための手段と、受信された同期情報に基づいて、ネットワークノードの時間および周波数を少なくとも１つのターゲットセルの時間および周波数と同期させるための手段とを含む。
【００１３】
[0013]本開示の別の態様はユーザ機器（ＵＥ）を提供する。ＵＥは、ＵＥをサービスしているネットワークノードから同期能力要求を受信するための手段と、同期能力要求への応答としてネットワークノードに同期能力応答を送信するための手段と、少なくとも１つのターゲットセルの同期情報を取得するための手段と、同期情報をネットワークノードに送信するための手段とを含む。
【００１４】
[0014]本開示の別の態様は、コンピュータ可読記憶媒体を含むコンピュータプログラム製品を提供する。コンピュータ可読記憶媒体は、ネットワークノードに、ネットワークノードに関連付けられたユーザ機器（ＵＥ）に同期能力要求を送信することと、同期能力要求への応答としてＵＥから同期能力応答を受信することと、ＵＥから少なくとも１つのターゲットセルの同期情報を受信することと、受信された同期情報に基づいて、ネットワークノードの時間および周波数を少なくとも１つのターゲットセルの時間および周波数と同期させることとを行わせるためのコードを含む。
【００１５】
[0015]本開示の別の態様は、コンピュータ可読記憶媒体を含むコンピュータプログラム製品を提供する。コンピュータ可読記憶媒体は、ユーザ機器（ＵＥ）に、ＵＥをサービスしているネットワークノードから同期能力要求を受信することと、同期能力要求への応答としてネットワークノードに同期能力応答を送信することと、少なくとも１つのターゲットセルの同期情報を取得することと、同期情報をネットワークノードに送信することとを行わせるためのコードを含む。
【００１６】
[0016]本開示の別の態様は、少なくとも１つのプロセッサと、少なくとも１つのプロセッサに結合された通信インターフェースと、少なくとも１つのプロセッサに結合されたメモリとを含むネットワークノードを提供する。少なくとも１つのプロセッサは、ネットワークノードに関連付けられたユーザ機器（ＵＥ）に同期能力要求を送信することと、同期能力要求への応答としてＵＥから同期能力応答を受信することと、ＵＥから少なくとも１つのターゲットセルの同期情報を受信することと、受信された同期情報に基づいて、ネットワークノードの時間および周波数を少なくとも１つのターゲットセルの時間および周波数と同期させることとを行うように構成される。
【００１７】
[0017]本開示の別の態様は、少なくとも１つのプロセッサと、少なくとも１つのプロセッサに結合された通信インターフェースと、少なくとも１つのプロセッサに結合されたメモリとを含むユーザ機器（ＵＥ）を提供する。少なくとも１つのプロセッサは、ＵＥをサービスしているネットワークノードから同期能力要求を受信することと、同期能力要求への応答としてネットワークノードに同期能力応答を送信することと、少なくとも１つのターゲットセルの同期情報を取得することと、同期情報をネットワークノードに送信することとを行うように構成される。
【００１８】
[0018]本発明のこれらおよび他の態様は、以下の発明を実施するための形態を検討すればより十分に理解されよう。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１９】
【図１】[0019]処理システムを採用する装置のためのハードウェア実装形態の一例を示す図。
【図２】[0020]様々な装置を採用するロングタームエボリューション（ＬＴＥ）ネットワークアーキテクチャを示す図。
【図３】[0021]ＬＴＥネットワークアーキテクチャにおけるアクセスネットワークの一例を示す図。
【図４】[0022]ＬＴＥネットワークに関するユーザプレーンおよび制御プレーンのための無線プロトコルアーキテクチャの一例を示す概念図。
【図５】[0023]アクセスネットワーク中でユーザ機器（ＵＥ）と通信しているホームｅＮＢ（ＨｅＮＢ）を示すブロック図。
【図６】[0024]本開示の一態様による、周波数内ＵＥ測定を利用するＨｅＮＢの時間および周波数同期を示すコールフロー図。
【図７】[0025]本開示の別の態様による、周波数内ＵＥ測定を利用するＨｅＮＢの時間および周波数同期を示すコールフロー図。
【図８】[0026]本開示の別の態様による、周波数間ＵＥ測定を利用するＨｅＮＢの時間および周波数同期を示すコールフロー図。
【図９】[0027]本開示の別の態様による、周波数間ＵＥ測定を利用するＨｅＮＢの時間および周波数同期を示すコールフロー図。
【図１０】[0028]本開示の一態様による、ＵＥ支援型時間および周波数同期を実行するためにＨｅＮＢを動作させる方法を示すフローチャート。
【図１１】[0029]本開示の一態様による、ＨｅＮＢのＵＥ支援型時間および周波数同期を実行するためにＵＥを動作させる方法を示すフローチャート。
【図１２】[0030]本開示の一態様による、ＵＥ測定を利用する時間および周波数同期が可能なネットワークノードを示す概念ブロック図。
【図１３】[0031]本開示の一態様による、ＵＥ測定を利用するネットワークノードの時間および周波数同期をサポートすることが可能なＵＥを示す概念ブロック図。
【発明を実施するための形態】
【００２０】
[0032]添付の図面に関して以下に記載する発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００２１】
[0033]本開示の態様は、スモールセルが、スモールセルに現在関連付けられている１つまたは複数のＵＥに時間および周波数オフセット情報を要求し、１つまたは複数のＵＥからそれらを取得することができ、それに応じて、スモールセルがそれのクロックドリフトを訓練(discipline)することができる、ユーザ機器（ＵＥ）支援型同期方法を提供する。スモールセルは、限定はしないが、フェムトセル、ピコセル、またはメトロセルを含む、任意の好適な低電力セルであり得、その各々の詳細は、当業者に知られており、したがって本明細書では詳細に与えない。限定ではなく例として、スモールセルは、それに関連付けられた（１つまたは複数の）ＵＥに、（１つまたは複数の）ネイバリングマクロセルとの時間および周波数オフセットを測定し、報告するように命令することができるフェムトセルであり得る。本開示の一態様では、時間オフセットはＵＥ測定報告から直接推論または決定され得る。周波数オフセットは、ＵＥまたはフェムトセルのいずれかにおいて周期時間オフセット測定値から導出され得る。ただし、時間オフセット測定値は周期である必要はない。周波数オフセットは、連続するそのような測定値間の時間間隔が知られている限り、複数の時間オフセット測定値からも導出され得る。
【００２２】
[0034]本開示では、ＬＴＥフェムトセルを例として示し、この特徴を可能にするための、既存のＬＴＥ規格への提案する変更および拡張を開示する。ただし、開示する技法は他の同期ワイヤレスネットワークに適用され得ることを諒解されたい。
【００２３】
[0035]限定ではなく例として、ＬＴＥ測位プロトコル（ＬＰＰ：LTE Positioning Protocol）での基準信号時間差（ＲＳＴＤ：Reference Signal Time Difference）測定などの既存のＬＴＥ規格が、（以下でＨｅＮＢと呼ばれる）フェムトセルにおいて時間および周波数同期を達成する目的で適応され得る。ただし、本開示の様々な態様では、ＲＳＴＤベースフレームワークは完了され回避され得ることに留意されたい。すなわち、本開示のいくつかの態様では、ＬＰＰおよびコアネットワークエンティティの関与は必要とされない。ＵＥは、ＨｅＮＢの要請により、ＲＳＴＤと同様の観測到着時間差（ＯＴＤＯＡ：Observed Time Difference Of Arrival）タイプ測定を実行し、基準ＨｅＮＢ（たとえば、サービングＨｅＮＢ）とターゲットネイバーｅＮＢ（たとえば、マクロセル）との間の時間オフセットを報告することができる。ＵＥは、場合によっては、複数の時間オフセット測定値から周波数オフセットを計算し、報告することができる。代替的に、周波数オフセット計算はＨｅＮＢ側で行われ得る。本開示の様々な態様では、ＵＥは、基準ＨｅＮＢおよび（１つまたは複数の）ネイバリングターゲットｅＮＢから受信されたダウンリンク基準信号について相対時間差を測定することによって時間オフセットを決定することができる。
【００２４】
[0036]以下は、本開示の様々な態様を実施するために、ＬＴＥ規格に対して行われ得るいくつかの変更の例である。ＨｅＮＢ側は、関連する測定報告をＵＥに要求し、処理することができる。ＵＥは、ＨｅＮＢ発信測定要求を現在の３ＧＰＰ規格準拠ＬＰＰ測定要求と区別し得る。所望される場合、ＵＥは、周波数誤差またはオフセット推定値を計算し、ＨｅＮＢ側に報告することができる。ＵＥ測定は、ＲＳＴＤのための測位基準信号（ＰＲＳ：Positioning Reference Signal）ベース測定から時間オフセット推定のための基準信号ベース測定に拡張され得る。
【００２５】
[0037]本開示の態様は、ＨｅＮＢとＵＥとの間の新しいハンドシェーキングシグナリングを通して決定される新しいＵＥ支援型同期能力（以下「ＳＹＮＣＨ」）を提供し、周波数内ＵＥ測定と周波数間ＵＥ測定の両方のための新しい情報要素（ＩＥ）およびコールフローが提案される。
処理システム
[0038]図１は、処理システム１１４を採用する装置１００のためのハードウェア実装形態の一例を示す概念図である。本開示の様々な態様によれば、要素、または要素の任意の部分、または要素の任意の組合せは、１つまたは複数のプロセッサ１０４を含む処理システム１１４を用いて実装され得る。たとえば、ＵＥまたはフェムトセルは、装置１００を用いて実装され得る。プロセッサ１０４の例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。
【００２６】
[0039]この例では、処理システム１１４は、バス１０２によって概略的に表されるバスアーキテクチャを用いて実装され得る。バス１０２は、処理システム１１４の特定の適用例および全体的な設計制約に応じて、任意の数の相互接続バスおよびブリッジを含み得る。バス１０２は、（プロセッサ１０４によって概略的に表される）１つまたは複数のプロセッサと、メモリ１０５と、（コンピュータ可読媒体１０６によって概略的に表される）コンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを与える。トランシーバ１１０は、伝送媒体を介して様々な他の装置と通信するための手段を与える。装置の性質に応じて、ユーザインターフェース１１２（たとえば、キーパッド、ディスプレイ、スピーカー、マイクロフォン、ジョイスティック）も与えられ得る。
【００２７】
[0040]プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、特定の装置のための以下で説明する様々な機能を実行させる。コンピュータ可読媒体１０６はまた、ソフトウェアを実行するときにプロセッサ１０４によって操作されるデータを記憶するために使用され得る。
【００２８】
[0041]処理システム中の１つまたは複数のプロセッサ１０４はソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体１０６上に常駐し得る。コンピュータ可読媒体１０６は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体１０６は、処理システム１１４中に常駐するか、処理システム１１４の外部にあるか、または処理システム１１４を含む複数のエンティティにわたって分散され得る。コンピュータ可読媒体１０６はコンピュータプログラム製品において実施され得る。例として、コンピュータプログラム製品はパッケージング材料中にコンピュータ可読媒体を含み得る。特定の適用例および全体的なシステムに課される全体的な設計制約に応じて、本開示全体にわたって提示する記載の機能をどのようにしたら最も良く実装することができるかを、当業者は認識されよう。
【００２９】
[0042]本開示全体にわたって提示する様々な概念は、多種多様な電気通信システム、ネットワークアーキテクチャ、および通信規格にわたって実装され得る。図２は、様々な装置１００（図１参照）を採用するＬＴＥネットワークアーキテクチャ２００を示す図である。ＬＴＥネットワークアーキテクチャ２００は発展型パケットシステム（ＥＰＳ：Evolved Packet System）２００と呼ばれることがある。ＥＰＳ２００は、１つまたは複数のユーザ機器（ＵＥ）２０２と、発展型ＵＭＴＳ地上波無線アクセスネットワーク（Ｅ−ＵＴＲＡＮ：Evolved UMTS Terrestrial Radio Access Network）２０４と、発展型パケットコア（ＥＰＣ：Evolved Packet Core）２１０と、ホーム加入者サーバ（ＨＳＳ：Home Subscriber Server）２２０と、事業者のＩＰサービス２２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００３０】
[0043]Ｅ−ＵＴＲＡＮは発展型ノードＢ（ｅＮＢ）２０６と他のｅＮＢ２０８とを含む。ｅＮＢ２０６は、ＵＥ２０２に対してユーザプレーンプロトコル終端と制御プレーンプロトコル終端とを与える。ｅＮＢ２０６は、Ｘ２インターフェース（すなわち、バックホール）を介して他のｅＮＢ２０８に接続され得る。ｅＮＢ２０６は、当業者によって、基地局、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ２０６は、ＵＥ２０２にＥＰＣ２１０へのアクセスポイントを与える。ＵＥ２０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ２０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００３１】
[0044]ｅＮＢ２０６はＳ１インターフェースによってＥＰＣ２１０に接続される。ＥＰＣ２１０は、モビリティ管理エンティティ（ＭＭＥ：Mobility Management Entity）２１２と、他のＭＭＥ２１４と、サービングゲートウェイ２１６と、パケットデータネットワーク（ＰＤＮ：Packet Data Network）ゲートウェイ２１８とを含む。ＭＭＥ２１２は、ＵＥ２０２とＥＰＣ２１０との間のシグナリングを処理する制御ノードである。概して、ＭＭＥ２１２はベアラおよび接続管理を行う。すべてのユーザＩＰパケットはサービングゲートウェイ２１６を通して転送され、サービングゲートウェイ２１６自体はＰＤＮゲートウェイ２１８に接続される。ＰＤＮゲートウェイ２１８はＵＥのＩＰアドレス割振りならびに他の機能を与える。ＰＤＮゲートウェイ２１８は事業者のＩＰサービス２２２に接続される。事業者のＩＰサービス２２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含む。
アクセスネットワーク
[0045]図３は、ＬＴＥネットワークアーキテクチャにおけるアクセスネットワークの一例を示す図である。この例では、アクセスネットワーク３００はいくつかのセルラー領域（セル）３０２に分割される。１つまたは複数のより低い電力クラスのｅＮＢ３０８、３１２は、セル３０２のうちの１つまたは複数と重複する、それぞれセルラー領域３１０、３１４を有し得る。より低い電力クラスのｅＮＢ３０８、３１２は、フェムトセル（たとえば、ホームｅＮＢ（ＨｅＮＢ））、ピコセル、またはマイクロセルであり得る。より高い電力クラスのｅＮＢまたはマクロｅＮＢ３０４は、セル３０２（たとえば、マクロセル）に割り当てられ、セル３０２中のすべてのＵＥ３０６にＥＰＣ２１０へのアクセスポイントを与えるように構成される。アクセスネットワーク３００のこの例では集中コントローラはないが、代替構成では集中コントローラが使用され得る。ｅＮＢ３０４は、無線ベアラ制御、承認制御、モビリティ制御、スケジューリング、セキュリティ、およびサービングゲートウェイ２１６（図２参照）への接続性を含む、無線に関係するすべての機能を担当する。
【００３２】
[0046]アクセスネットワーク３００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００３３】
[0047]無線プロトコルアーキテクチャは、特定の適用例に応じて様々な形態をとり得る。次に図４を参照しながら、ＬＴＥシステムの一例を提示する。図４は、ユーザプレーンおよび制御プレーンのための無線プロトコルアーキテクチャの一例を示す概念図である。
【００３４】
[0048]図４を参照すると、ＵＥ２０２およびｅＮＢ２０６のための無線プロトコルアーキテクチャは、レイヤ１、レイヤ２、およびレイヤ３という３つのレイヤで示されている。レイヤ１は最下位レイヤであり、様々な物理レイヤ信号処理機能を実装する。レイヤ１を本明細書では物理レイヤ４０６と呼ぶ。レイヤ２（Ｌ２レイヤ）４０８は、物理レイヤ４０６の上にあり、物理レイヤ４０６を介したＵＥとｅＮＢとの間のリンクを担当する。
【００３５】
[0049]ユーザプレーンでは、Ｌ２レイヤ４０８は、ネットワーク側のｅＮＢにおいて終端される、媒体アクセス制御（ＭＡＣ：media access control）サブレイヤ４１０と、無線リンク制御（ＲＬＣ：radio link control）サブレイヤ４１２と、パケットデータコンバージェンスプロトコル（ＰＤＣＰ：packet data convergence protocol）４１４サブレイヤとを含む。図示されていないが、ＵＥは、ネットワーク側のＰＤＮゲートウェイ２１８（図２参照）において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ４０８の上にいくつかの上位レイヤを有し得る。
【００３６】
[0050]ＰＤＣＰサブレイヤ４１４は、異なる無線ベアラと論理チャネルとの間で多重化を行う。ＰＤＣＰサブレイヤ４１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ４１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ４１０は、論理チャネルとトランスポートチャネルとの間の多重化を行う。ＭＡＣサブレイヤ４１０はまた、ＵＥの間で１つのセル中の様々な無線リソース（たとえば、リソースブロック）を割り振ることを担当する。ＭＡＣサブレイヤ４１０はまたＨＡＲＱ動作を担当する。
【００３７】
[0051]制御プレーンでは、ＵＥおよびｅＮＢのための無線プロトコルアーキテクチャは、制御プレーンのためのヘッダ圧縮機能がないことを除いて、物理レイヤ４０６およびＬ２レイヤ４０８について実質的に同じである。制御プレーンはまた、レイヤ３中に無線リソース制御（ＲＲＣ：radio resource control）サブレイヤ４１６を含む。ＲＲＣサブレイヤ４１６は、無線リソース（すなわち、無線ベアラ）を取得することと、ｅＮＢとＵＥとの間のＲＲＣシグナリングを使用して下位レイヤを構成することとを担当する。
【００３８】
[0052]図５は、アクセスネットワーク中でＵＥ５５０と通信しているｅＮＢ５１０のブロック図である。ＤＬでは、コアネットワークからの上位レイヤパケットがコントローラ／プロセッサ５７５に与えられる。コントローラ／プロセッサ７７５は、図４に関して前に説明したＬ２レイヤの機能を実装する。ＤＬでは、コントローラ／プロセッサ５７５は、様々な優先度メトリックに基づいてヘッダ圧縮と、暗号化と、パケットのセグメンテーションおよび並べ替えと、論理チャネルとトランスポートチャネルとの間の多重化と、ＵＥ５５０への無線リソース割振りとを行う。コントローラ／プロセッサ５７５はまた、ＨＡＲＱ動作と、紛失パケットの再送信と、ＵＥ５５０へのシグナリングとを担当する。
【００３９】
[0053]ＴＸプロセッサ５１６は、Ｌ１レイヤ（すなわち、物理レイヤ）のための様々な信号処理機能を実装する。信号処理機能は、ＵＥ５５０における前方誤り訂正（ＦＥＣ：forward error correction）を可能にするためのコーディングおよびインターリービングと、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを含む。コーディングされ変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器５７４からのチャネル推定値は、コーディングおよび変調方式を決定するために、ならびに空間処理のために使用され得る。チャネル推定値は、ＵＥ５５０によって送信される基準信号および／またはチャネル状態フィードバックから導出され得る。各空間ストリームは、次いで、別個の送信機５１８ＴＸを介して異なるアンテナ５２０に与えられる。各送信機５１８ＴＸは、送信のためにそれぞれの空間ストリームでＲＦキャリアを変調する。
【００４０】
[0054]ＵＥ５５０において、各受信機５５４ＲＸが、それのそれぞれのアンテナ５５２を通して信号を受信する。各受信機５５４ＲＸは、ＲＦキャリア上に変調された情報を復元し、受信機（ＲＸ）プロセッサ５５６に情報を与える。
【００４１】
[0055]ＲＸプロセッサ５５６はＬ１レイヤの様々な信号処理機能を実装する。ＲＸプロセッサ５５６は、ＵＥ５５０に宛てられた任意の空間ストリームを復元するために、情報に対して空間処理を実行する。複数の空間ストリームがＵＥ５５０に宛てられた場合、それらはＲＸプロセッサ５５６によって単一のＯＦＤＭシンボルストリームに合成され得る。ＲＸプロセッサ５５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ５１０によって送信される、可能性が最も高い信号コンスタレーションポイントを決定することによって復元され、復調される。これらの軟判定は、チャネル推定器５５８によって計算されるチャネル推定値に基づき得る。軟判定は、次いで、物理チャネル上でｅＮＢ５１０によって最初に送信されたデータと制御信号とを復元するために復号され、デインターリーブされる。データおよび制御信号は、次いでコントローラ／プロセッサ５５９に与えられる。
【００４２】
[0056]コントローラ／プロセッサ５５９は、図４に関して前に説明したＬ２レイヤを実装する。ＵＬでは、制御／プロセッサ５５９は、コアネットワークからの上位レイヤパケットを復元するために、トランスポートチャネルと論理チャネルとの間の多重分離と、パケットリアセンブリと、解読（deciphering）と、ヘッダ復元（decompression）と、制御信号処理とを行う。上位レイヤパケットは、次いで、Ｌ２レイヤの上のすべてのプロトコルレイヤを表すデータシンク５６２に与えられる。また、様々な制御信号がＬ３処理のためにデータシンク５６２に与えられ得る。コントローラ／プロセッサ５５９はまた、ＨＡＲＱ動作をサポートするために肯定応答（ＡＣＫ）および／または否定応答（ＮＡＣＫ）プロトコルを使用した誤り検出を担当する。
【００４３】
[0057]ＵＬでは、データソース５６７が、コントローラ／プロセッサ５５９に上位レイヤパケットを与えるために使用される。データソース５６７は、Ｌ２レイヤ（Ｌ２）の上のすべてプロトコルレイヤを表す。ｅＮＢ５１０によるＤＬ送信に関して説明した機能と同様に、コントローラ／プロセッサ５５９は、ヘッダ圧縮と、暗号化と、パケットのセグメンテーションおよび並べ替えと、ｅＮＢ５１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ５５９はまた、ＨＡＲＱ動作と、紛失パケットの再送信と、ｅＮＢ５１０へのシグナリングとを担当する。
【００４４】
[0058]ｅＮＢ５１０によって送信される基準信号またはフィードバックからチャネル推定器５５８によって導出されるチャネル推定値は、適切なコーディングおよび変調方式を選択することと、空間処理を可能にすることとを行うために、ＴＸプロセッサ５６８によって使用され得る。５ＴＸプロセッサ５６８によって生成される空間ストリームは、別個の送信機５５４ＴＸを介して異なるアンテナ５５２に与えられる。各送信機５５４ＴＸは、送信のためにそれぞれの空間ストリームでＲＦキャリアを変調する。
【００４５】
[0059]ＵＬ送信は、ＵＥ５５０における受信機機能に関して説明した方法と同様の方法でｅＮＢ５１０において処理される。各受信機５１８ＲＸが、それのそれぞれのアンテナ５２０を通して信号を受信する。各受信機５１８ＲＸは、ＲＦキャリア上で変調された情報を復元し、ＲＸプロセッサ５７０に情報を与える。ＲＸプロセッサ５７０はＬ１レイヤを実装する。
【００４６】
[0060]コントローラ／プロセッサ５５９は、図４に関して前に説明したＬ２レイヤを実装する。ＵＬでは、制御／プロセッサ５５９は、ＵＥ５５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ５５９からの上位レイヤパケットはコアネットワークに与えられ得る。コントローラ／プロセッサ５５９はまた、ＨＡＲＱ動作をサポートするためにＡＣＫおよび／またはＮＡＣＫプロトコルを使用した誤り検出を担当する。
【００４７】
[0061]本開示の一態様では、図１に関して説明した処理システム１１４は、ｅＮＢ５１０を実装するために使用され得る。たとえば、処理システム１１４は、ＴＸプロセッサ５１６と、ＲＸプロセッサ５７０と、コントローラ／プロセッサ５７５とを含む。本開示の別の態様では、図１に関して説明した処理システム１１４は、ＵＥ５５０を実装するために使用され得る。たとえば、処理システム１１４は、ＴＸプロセッサ５６８と、ＲＸプロセッサ５５６と、コントローラ／プロセッサ５５９とを含む。
【００４８】
[0062]図６は、本開示の一態様による、周波数内ＵＥ測定を利用するＨｅＮＢの時間および周波数同期を示すコールフロー図である。ＨｅＮＢ５１０は、時間および周波数オフセット情報をＨｅＮＢに報告するようにＵＥ５５０に要求するために、時間および周波数同期（ＳＹＮＣＨ）能力要求（Request Capabilities）情報要素６０２をＵＥに送る。要求された時間および周波数オフセット情報は、１つまたは複数のネイバリングマクロセルとの時間および周波数オフセットをＨｅＮＢに与える。ＵＥがＳＹＮＣＨ能力要求ＩＥ６０２を認識するように構成された場合、ＵＥは、要求された測定を実行するそれの能力を示すために、ＳＹＮＣＨ能力提供（Provide Capabilities）ＩＥ６０４でＨｅＮＢに応答する。レガシーＵＥはＳＹＮＣＨ能力要求ＩＥ６０２を無視する。
【００４９】
[0063]ＵＥが時間および周波数オフセット測定を実行することが可能である場合、ＨｅＮＢはＵＥにＳＹＮＣＨ支援データ６０６を与える。本開示の態様では、ＳＹＮＣＨ支援データは、セルＩＤと周波数とを含むターゲットセルパラメータに関する情報を含んでいることがあり、基準信号構成などに関する情報をさらに含んでいることがある。ＬＴＥでは、セル固有基準信号（ＣＲＳ：cell-specific reference signal）、マルチキャストブロードキャスト単一周波数ネットワーク基準信号（ＭＢＳＦＮ−ＲＳ：Multicast-Broadcast Single Frequency Network reference signal）、ＵＥ固有基準信号（ＤＭ−ＲＳ）、測位基準信号（ＰＲＳ）、およびチャネル状態情報基準信号（ＣＳＩ−ＲＳ：channel state information reference signal）という５つのタイプのダウンリンク基準信号がある。基準ＨｅＮＢ５１０とマクロセルのターゲットｅＮＢの両方によって送られる任意の基準信号が、タイミングオフセットを測定するためにＵＥ５５０において使用され得る。
【００５０】
[0064]本開示の一態様では、基準セルはデフォルトで要求元ＨｅＮＢ５１０である。ＳＹＮＣＨ支援データ６０６は、測定のための１つまたは複数の特定のターゲットネイバーセル（たとえば、図３のセル３０２）を識別し得る。特定のターゲットセルが識別された場合、ＨｅＮＢは、周波数間測定が必要とされるのか周波数内測定が必要とされるのかを決定し、示し得る。本開示の一態様では、ＨｅＮＢは、ＲＲＣメッセージを介して、測定されるべき（１つまたは複数の）基準信号のキャリア周波数をＵＥに通信し得る。
【００５１】
[0065]ＵＥは、ＳＹＮＣＨ支援データ６０６を受信し、周波数内測定が要求されるのか周波数間測定が要求されるのかを決定する。図６に示されたコールフローは周波数内測定６０８の一例である。次いで、ＨｅＮＢは、時間（および場合によっては周波数）オフセット情報をＵＥに要求するために、ＳＹＮＣＨ情報要求（Request Information）ＩＥ６１０をＵＥに送信する。ステップ６１２において、ＵＥは、ｅＮＢ間の時間オフセットを決定するために、ＨｅＮＢとネイバリングマクロセルの１つまたは複数のターゲットｅＮＢの両方によって送信された基準信号に対して周波数内測定（たとえば、ＯＴＤＯＡ測定）を実行する。ステップ６１４において、ＵＥは時間領域測定値から周波数オフセットを計算し得る。たとえば、ＵＥは、ＨｅＮＢおよびネイバーｅＮＢからの測定された基準信号間の位相を比較することによって周波数オフセットを推定し得る。その後、ＵＥは、要求された特定のオフセット値（たとえば、時間および周波数オフセット）をもつＳＹＮＣＨ情報提供（Provide Information）ＩＥ６１６をＨｅＮＢに送信する。オフセット値を用いて、ＨｅＮＢはそれのローカルクロックをネイバリングｅＮＢと同期させ得る。
【００５２】
[0066]図７は、本開示の別の態様による、周波数内ＵＥ測定を利用するＨｅＮＢの時間および周波数同期を示すコールフロー図である。この変形態では、周波数オフセットがＨｅＮＢ側において計算される。ＨｅＮＢ５１０は、時間オフセット情報をＨｅＮＢに報告するようにＵＥ５５０に要求するために、同期（ＳＹＮＣＨ）能力要求情報要素７０２をＵＥに送る。要求された時間オフセット情報は、１つまたは複数のネイバリングマクロセルとの時間オフセットをＨｅＮＢに与える。ＵＥがＳＹＮＣＨ能力要求ＩＥ７０２を認識するように構成された場合、ＵＥは、要求された測定を実行するそれの能力を示すために、ＳＹＮＣＨ能力提供ＩＥ７０４でＨｅＮＢに応答する。レガシーＵＥはＳＹＮＣＨ能力要求ＩＥ７０２を無視する。
【００５３】
[0067]ＵＥが要求された時間オフセット測定を実行することが可能である場合、ＨｅＮＢはＵＥにＳＹＮＣＨ支援データ７０６を与える。本開示の態様では、ＳＹＮＣＨ支援データは、セルＩＤと周波数とを含むターゲットセルパラメータに関する情報を含んでいることがあり、基準信号構成などに関する情報をさらに含んでいることがある。基準ＨｅＮＢ５１０とマクロセルのターゲットｅＮＢの両方によって送られる任意の基準信号が、タイミングオフセットを測定するためにＵＥ５５０において使用され得る。
【００５４】
[0068]本開示の一態様では、基準セルはデフォルトで要求元ＨｅＮＢ５１０である。ＳＹＮＣＨ支援データ７０６は、測定のための１つまたは複数の特定のターゲットネイバーセル（たとえば、図３のセル３０２）を識別し得る。特定のターゲットセルが識別された場合、ＨｅＮＢは、周波数間測定が必要とされるのか周波数内測定が必要とされるのかを決定し、示す。本開示の一態様では、ＨｅＮＢは、ＲＲＣメッセージを介して、測定されるべき（１つまたは複数の）基準信号のキャリア周波数をＵＥに通信し得る。
【００５５】
[0069]ＳＹＮＣＨ支援データ７０６に基づいて、ＵＥは、周波数内測定が要求されるのか周波数間測定が要求されるのかを決定する。図７に示されたコールフローは周波数内測定７０８の一例である。次いで、ＨｅＮＢは、時間（および場合によっては周波数）オフセット情報をＵＥに要求するために、ＳＹＮＣＨ情報要求ＩＥ７１０をＵＥに送信する。ステップ７１２において、ＵＥは、ｅＮＢ間の時間オフセットを決定するために、ＨｅＮＢとネイバリングマクロセルの１つまたは複数のターゲットｅＮＢの両方によって送信された基準信号に対して周波数内測定（たとえば、ＯＴＤＯＡ測定）を実行する。次いで、ＵＥは、要求された特定のオフセット値（たとえば、時間オフセット）をもつＳＹＮＣＨ情報提供ＩＥ７１４をＨｅＮＢに送信する。ステップ７１６において、ＨｅＮＢは時間領域測定値から周波数オフセットを計算し得る。たとえば、ＨｅＮＢは、ＵＥから受信された複数のタイミングオフセット測定報告から周波数オフセットを推定し得る。オフセット値を用いて、ＨｅＮＢはそれのローカルクロックをネイバリングｅＮＢと同期させ得る。
【００５６】
[0070]図８は、本開示の別の態様による、周波数間ＵＥ測定を利用するＨｅＮＢの時間および周波数同期を示すコールフロー図である。ＨｅＮＢ５１０は、時間および周波数オフセット情報をＨｅＮＢに報告するようにＵＥ５５０に要求するために、時間および周波数同期（ＳＹＮＣＨ）能力要求情報要素８０２をＵＥに送る。要求された測定は、１つまたは複数のネイバリングマクロセルとの時間および周波数オフセットをＨｅＮＢに与える。ＵＥがＳＹＮＣＨ能力要求ＩＥ８０２を認識するように構成された場合、ＵＥは、要求された測定を実行するそれの能力を示すために、ＳＹＮＣＨ能力提供ＩＥ８０４でＨｅＮＢに応答する。レガシーＵＥはＳＹＮＣＨ能力要求ＩＥ８０２を無視する。
【００５７】
[0071]ＵＥが要求された時間および周波数オフセット測定を実行することが可能である場合、ＨｅＮＢはＵＥにＳＹＮＣＨ支援データ８０６（同期支援データ）を与える。本開示の態様では、ＳＹＮＣＨ支援データは、セルＩＤと周波数と帯域幅とを含むターゲットセルパラメータに関する情報を含んでいることがあり、基準信号構成などに関する情報をさらに含んでいることがある。基準ＨｅＮＢ５１０とマクロセルのターゲットｅＮＢの両方によって送られる任意の基準信号が、タイミングオフセットを測定するためにＵＥ５５０において使用され得る。
【００５８】
[0072]本開示の一態様では、基準セルはデフォルトで要求元ＨｅＮＢ５１０である。ＳＹＮＣＨ支援データ８０６は、測定のための１つまたは複数の特定のターゲットネイバーセル（たとえば、図３のセル３０２）を識別し得る。特定のターゲットセルが識別された場合、ＨｅＮＢは、周波数間測定が必要とされるのか周波数内測定が必要とされるのかを決定し、示し得る。本開示の一態様では、ＨｅＮＢは、ＲＲＣメッセージを介して、測定されるべき（１つまたは複数の）基準信号のキャリア周波数をＵＥに通信し得る。
【００５９】
[0073]ＵＥは、ＳＹＮＣＨ支援データ８０６を受信し、周波数内測定が要求されるのか周波数間測定が要求されるのかを決定する。図８に示されたコールフローは周波数間測定の一例である。ステップ８０８において、ＵＥは、与えられた支援データＩＥ８０６から周波数間測定が望まれることを了解し、好適な測定ギャップが構成されているか否かを確認する。ＵＥは、それが（サービング周波数とは異なる）別の周波数上で測定を行うための送信ギャップを必要とするかどうかに関するそれの能力をＨｅＮＢに広告する。したがって、ＨｅＮＢは、ＵＥが測定ギャップを必要とするか否かを知る。これは、ＲＲＣ接続の確立時に行われる。測定ギャップが構成されていないか、または構成された測定ギャップが十分でない場合、ＨｅＮＢは、ＵＥのために必要とされるギャップパターンを構成する必要がある。
【００６０】
[0074]次いで、ＨｅＮＢは、時間（および場合によっては周波数）オフセット情報をＵＥに要求するために、ＳＹＮＣＨ情報要求ＩＥ８１０をＵＥに送信する。ステップ８１２において、ＨｅＮＢは、必要とされる測定ギャップパターンを構成し、ＲＲＣ再構成ＩＥ８１４を介してギャップパターンをＵＥに送る。ＵＥは、必要とされる測定ギャップが構成されたことを確認応答するために、ＲＲＣ再構成完了ＩＥ８１６を返す。
【００６１】
[0075]ステップ８１８において、ＵＥは、ｅＮＢ間の時間オフセットを決定するために、ＨｅＮＢとネイバリングマクロセルの１つまたは複数のターゲットｅＮＢの両方によって送信された基準信号に対して周波数間測定（たとえば、ＯＴＤＯＡ測定）を実行する。ステップ８２０において、ＵＥは時間領域測定値から周波数オフセットを計算し得る。たとえば、ＵＥは、ＨｅＮＢおよびネイバーｅＮＢからの測定された基準信号間の位相を比較することによって周波数オフセットを推定し得る。その後、ＵＥは、要求されたオフセット値（たとえば、時間および周波数オフセット）をもつＳＹＮＣＨ情報提供ＩＥ８２２をＨｅＮＢに送信する。オフセット値を用いて、ＨｅＮＢはそれのローカルクロックをネイバリングｅＮＢと同期させ得る。ステップ８２４において、ＨｅＮＢは、必要な場合、ステップ８１２の前に使用されていた前のギャップパターンを復元する。
【００６２】
[0076]図９は、本開示の別の態様による、周波数間ＵＥ測定を利用するＨｅＮＢの時間および周波数同期を示すコールフロー図である。ＨｅＮＢ５１０は、時間オフセット情報をＨｅＮＢに報告するようにＵＥ５５０に要求するために、同期（ＳＹＮＣＨ）能力要求情報要素９０２をＵＥに送る。要求された測定は、１つまたは複数のネイバリングマクロセルとの時間オフセットをＨｅＮＢに与える。ＵＥがＳＹＮＣＨ能力要求ＩＥ９０２を認識するように構成された場合、ＵＥは、要求された測定を実行するそれの能力を示すために、ＳＹＮＣＨ能力提供ＩＥ９０４でＨｅＮＢに応答する。レガシーＵＥはＳＹＮＣＨ能力要求ＩＥ９０２を無視する。
【００６３】
[0077]ＵＥが要求された時間オフセット測定を実行することが可能である場合、ＨｅＮＢはＵＥにＳＹＮＣＨ支援データ９０６を与える。本開示の態様では、ＳＹＮＣＨ支援データは、セルＩＤと周波数とを含むターゲットセルパラメータに関する情報を含んでいることがあり、基準信号構成などに関する情報をさらに含んでいることがある。基準ＨｅＮＢ５１０とマクロセルのターゲットｅＮＢの両方によって送られる任意の基準信号が、時間オフセットを測定するためにＵＥ５５０において使用され得る。
【００６４】
[0078]本開示の一態様では、基準セルはデフォルトで要求元ＨｅＮＢ５１０である。ＳＹＮＣＨ支援データ９０６は、測定のための１つまたは複数の特定のターゲットネイバーセル（たとえば、図３のセル３０２）を識別し得る。特定のターゲットセルが識別された場合、ＨｅＮＢは、周波数間測定が必要とされるのか周波数内測定が必要とされるのかを決定し、示し得る。本開示の一態様では、ＨｅＮＢは、ＲＲＣメッセージを介して、測定されるべき（１つまたは複数の）基準信号のキャリア周波数をＵＥに通信し得る。
【００６５】
[0079]ＵＥは、ＳＹＮＣＨ支援データ９０６を受信し、周波数内測定が要求されるのか周波数間測定が要求されるのかを決定する。図９に示されたコールフローは周波数間測定の一例である。ステップ９０８において、ＵＥは、与えられた支援データＩＥ９０６から周波数間測定が望まれることを了解し、好適な測定ギャップが構成されているか否かを確認する。ＵＥは、それが（サービング周波数とは異なる）別の周波数上で測定を行うための送信ギャップを必要とするかどうかに関するそれの能力をＨｅＮＢに広告する。したがって、ＨｅＮＢは、ＵＥが測定ギャップを必要とするか否かを知る。これは、ＲＲＣ接続の確立時に行われる。測定ギャップが構成されていないか、または構成された測定ギャップが十分でない場合、ＨｅＮＢは、ＵＥのために必要とされる測定ギャップパターンを構成する。いくつかの例では、接続モードＤＲＸ（間欠受信）が構成された場合、ＵＥは、測定を行うためにオフ時間を使用し得る。
【００６６】
[0080]次いで、ＨｅＮＢは、時間オフセット情報をＵＥに要求するために、ＳＹＮＣＨ情報要求ＩＥ９１０をＵＥに送信する。ステップ９１２において、ＨｅＮＢは、必要とされる測定ギャップパターンを構成し、ＲＲＣ再構成ＩＥ９１４を介してギャップパターンをＵＥに送る。ＵＥは、必要とされる測定ギャップが構成されたことを確認応答するために、ＲＲＣ再構成完了ＩＥ９１６を返す。
【００６７】
[0081]ステップ９１８において、ＵＥは、ｅＮＢ間の時間オフセットを決定するために、ＨｅＮＢとネイバリングマクロセルの１つまたは複数のターゲットｅＮＢの両方によって送信された基準信号に対して周波数間測定（たとえば、ＯＴＤＯＡ測定）を実行する。その後、ＵＥは、要求されたオフセット値（たとえば、時間オフセット）をもつＳＹＮＣＨ情報提供ＩＥ９２０をＨｅＮＢに送信する。ステップ９２２において、ＵＥは時間領域測定値から周波数オフセットを計算し得る。たとえば、ＵＥは、ＨｅＮＢおよびネイバーｅＮＢからの測定された基準信号間の位相を比較することによって周波数オフセットを推定し得る。オフセット値を用いて、ＨｅＮＢはそれのローカルクロックをネイバリングｅＮＢと同期させ得る。
【００６８】
[0082]上記で説明したＵＥ支援型時間および周波数オフセット測定は、様々な態様においてレガシーＲＳＴＤ測定と異なる。レガシーＲＳＴＤ報告はＬＴＥ測位プロトコル（ＬＰＰ）とロケーションサーバとを必要とすることに留意されたい。しかしながら、ＬＬＰまたはロケーションサーバは本開示の様々な態様では利用されない。また、本ＵＥ支援型測定技法は、周波数間測定では測定ギャップを構成する必要があり得るので、周波数間測定のためにのみＲＲＣシグナリングを使用する。本開示では、周波数内測定例はＲＲＣシグナリングを利用しない。
【００６９】
[0083]レガシーシステムでは、ＵＥは、測定ギャップが必要とされるとき、周波数間ＲＳＴＤ測定の開始／停止を示すためにネットワークに指示（たとえば、情報要素−ＩｎｔｅｒＦｒｅｑＲＳＴＤＭｅａｓｕｒｅｍｅｎｔＩｎｄｉｃａｔｉｏｎ）を送ることを要求される。本開示の様々な態様では、ＨｅＮＢが、同様の指示を送るための新しいシグナリング機構を介してＵＥをトリガする。レガシーシステムでは、ＲＳＴＤ結果は、位置計算が行われるロケーションサーバに報告される。本開示の様々な態様では、ＬＬＰのロケーションサーバの代わりに、新しいシグナリング機構が、ＨｅＮＢにオフセット測定結果を報告するために使用される。
【００７０】
[0084]図１および図５を参照すると、本開示の一態様では、ワイヤレス通信のための装置１００は、装置（たとえば、ＨｅＮＢ５１０などのネットワークノード）に関連付けられたＵＥ５５０に同期能力要求（たとえば、ＩＥ６０２、７０２、８０２、および９０２）を送信するための手段と、ＵＥから同期能力要求の応答として同期能力応答（たとえば、ＩＥ６０２、７０４、８０４、および９０４）を受信するための手段と、ＵＥから少なくとも１つのターゲットセル（たとえば、セル３０２）の同期情報（たとえば、ＩＥ６１６、７１４、８２２、および９２０）を受信するための手段と、受信された同期情報に基づいて、装置１００の時間および周波数を少なくとも１つのターゲットセルの時間および周波数と同期させるための手段とを含む。
【００７１】
[0085]上述の手段は、上述の手段によって具陳された機能を実行するように構成された処理システム１１４であり得る。上記で説明したように、処理システム１１４は、ＴＸプロセッサ５１６と、ＲＸプロセッサ５７０と、コントローラ／プロセッサ５７５とを含む。したがって、本開示の一態様では、上述の手段は、上述の手段によって具陳された機能を実行するように構成された、ＴＸプロセッサ５１６と、ＲＸプロセッサ５７０と、コントローラ／プロセッサ５７５とであり得る。
【００７２】
[0086]本開示の一態様では、ワイヤレス通信のための装置１００は、装置１００（たとえば、ＵＥ５５０）をサービスしているＨｅＮＢ５１０（たとえば、ネットワークノード）から同期能力要求（たとえば、ＩＥ６０２、７０２、８０２、および９０２）を受信するための手段と、同期能力要求の応答として同期能力応答（たとえば、ＩＥ６０２、７０４、８０４、および９０４）をネットワークノードに送信するための手段と、少なくとも１つのターゲットセル（たとえば、セル３０２）の同期情報（たとえば、ＩＥ６１６、７１４、８２２、および９２０）を取得するための手段と、同期情報をネットワークノードに送信するための手段とを含む。
【００７３】
[0087]上述の手段は、上述の手段によって具陳された機能を実行するように構成された処理システム１１４であり得る。上記で説明したように、処理システム１１４は、ＴＸプロセッサ５６８と、ＲＸプロセッサ５５６と、コントローラ／プロセッサ５５９とを含む。したがって、一構成では、上述の手段は、上述の手段によって具陳される機能を実行するように構成された、ＴＸプロセッサ５６８と、ＲＸプロセッサ５５６と、コントローラ／プロセッサ５５９とであり得る。
【００７４】
[0088]図１０は、本開示の一態様による、ＵＥ支援型時間および周波数同期を実行するためにＨｅＮＢ５１０を動作させる方法１０００を示すフローチャートである。ステップ１００２において、ＨｅＮＢ５１０（ネットワークノード）は、ＨｅＮＢ５１０に関連付けられたＵＥ５５０に同期能力要求（たとえば、ＩＥ６０２、７０２、８０２、および９０２）を送信する。ステップ１００４において、ＨｅＮＢ５１０は、ＵＥ５５０から同期能力要求の応答として同期能力応答（たとえば、ＩＥ６０４、７０４、８０４、および９０４）を受信する。レガシーＵＥは同期能力要求を無視する。ステップ１００６において、ＨｅＮＢ５１０は、ＵＥ５５０から少なくとも１つのターゲットセルの同期情報を受信する。ステップ１００８において、ＨｅＮＢ５１０は、受信された同期情報に基づいて、それの時間および周波数を少なくとも１つのターゲットセルの時間および周波数と同期させる。
【００７５】
[0089]図１１は、本開示の一態様による、ＨｅＮＢ５１０のＵＥ支援型時間および周波数同期を実行するためにＵＥ５５０を動作させる方法１１００を示すフローチャートである。ステップ１１０２において、ＵＥは、ＵＥをサービスしているＨｅＮＢ（ネットワークノード）から同期能力要求（たとえば、ＩＥ６０２、７０２、８０２、および９０２）を受信する。ステップ１１０４において、ＵＥは、同期能力要求の応答として同期能力応答（たとえば、ＩＥ６０４、７０４、８０４、および９０４）をＨｅＮＢに送信する。ステップ１１０６において、ＵＥは、少なくとも１つのターゲットセルの同期情報（たとえば、時間および／または周波数オフセット）を取得する。ステップ１１０８において、ＵＥは同期情報をＨｅＮＢに送信する。
【００７６】
[0090]図１２は、本開示の一態様による、ＵＥ測定を利用する時間および周波数同期が可能なネットワークノード１２００を示す概念ブロック図である。ネットワークノード１２００はネットワークノード５１０であり得る。ネットワークノード１２００のいくつかの構成要素は、トランシーバ１２０２と、少なくとも１つのプロセッサ１２０４と、コンピュータ可読媒体１２０６とを含む。トランシーバ１２０２は、ＵＥと通信するために利用され得る。図１２には、本発明を理解するために必要ではない、ネットワークノードの一般に知られている構成要素は示されていない。本開示の一態様では、ネットワークノード１２００は装置１００を用いて実装され得る。したがって、トランシーバ１２０２、プロセッサ１２０４、およびコンピュータ可読媒体１２０６は、それぞれ図１の要素１１０、１０４、および１０６に対応し得る。プロセッサ１２０４は、図６〜図１１に関して説明した様々な機能を実行するようにコンピュータ可読媒体１２０６上のソフトウェアによって構成され得る。
【００７７】
[0091]同期能力要求回路１２０８は、同期能力要求ルーチン１２１０によって構成されたとき、ネットワークノードに関連付けられたＵＥ（たとえば、ＵＥ５５０）に同期能力要求（たとえば、ＳＹＮＣＨ能力要求６０２、７０２、８０２、９０２）を送信し得る。同期能力応答回路１２１２は、同期能力応答ルーチン１２１４によって構成されたとき、同期能力要求への応答としてＵＥから同期能力応答（たとえば、ＳＹＮＣＨ能力提供６０４、７０４、８０４、９０４）を受信し得る。同期情報回路１２１６は、同期情報ルーチン１２１８によって構成されたとき、ＵＥから少なくとも１つのターゲットセルの同期情報（たとえば、ＳＹＮＣＨ情報提供６１６、７１４、８２２、９２０）を受信し得る。時間および周波数（Ｔ／Ｆ）同期回路１２２０は、Ｔ／Ｆ同期ルーチン１２２２によって構成されたとき、受信された同期情報に基づいて、ネットワークノードの時間および周波数を少なくとも１つのターゲットセルの時間および周波数と同期させ得る。
【００７８】
[0092]図１３は、本開示の一態様による、ＵＥ測定を利用するネットワークノードの時間および周波数同期をサポートすることが可能なＵＥ１３００を示す概念ブロック図である。ＵＥ１３００はＵＥ５５０であり得る。ＵＥ１３００のいくつかの構成要素は、トランシーバ１３０２と、少なくとも１つのプロセッサ１３０４と、コンピュータ可読媒体１３０６とを含む。図１３には、本発明を理解するために必要ではない、ＵＥの一般に知られている構成要素は示されていない。本開示の一態様では、ＵＥ１３００は装置１００を用いて実装され得る。したがって、トランシーバ１３０２、プロセッサ１３０４、およびコンピュータ可読媒体１３０６は、それぞれ図１の要素１１０、１０４、および１０６に対応し得る。プロセッサ１３０４は、図６〜図１１に関して説明した様々な機能を実行するようにコンピュータ可読媒体１３０６上のソフトウェアによって構成され得る。
【００７９】
[0093]同期能力要求回路１３０８は、同期能力要求ルーチン１３１０によって構成されたとき、ＵＥ１３００をサービスしているネットワークノードから同期能力要求（たとえば、ＳＹＮＣＨ能力要求６０２、７０２、８０２、９０２）を受信し得る。同期能力応答回路１３１２は、同期能力応答ルーチン１３１４によって構成されたとき、同期能力要求への応答としてネットワークノードに同期能力応答（たとえば、ＳＹＮＣＨ能力提供６０４、７０４、８０４、９０４）を送信し得る。同期情報回路１３１６は、同期情報ルーチン１３１８によって構成されたとき、少なくとも１つのターゲットセルの同期情報を取得し、同期情報（たとえば、ＳＹＮＣＨ情報提供６１６、７１４、８２２、９２０）をネットワークノードに送信し得る。
【００８０】
[0094]開示した方法中のステップの特定の順序または階層は、例示的なプロセスの一例であることを理解されたい。設計上の選好に基づいて、本方法中のステップの特定の順序または階層は並べ替えられ得ることを理解されたい。添付の方法クレームは、様々なステップの要素を例示的な順序で提示したものであり、方法クレーム中に特に記載されていない限り、提示された特定の順序または階層に限定されるものではない。
【００８１】
[0095]以上の説明は、当業者が本明細書で説明した様々な態様を実施することができるようにするために提供したものである。これらの態様に対する様々な変更は当業者には容易に明らかになり、本明細書で定義した一般原理は他の態様に適用され得る。したがって、特許請求の範囲は、本明細書に示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に記載されているかどうかにかかわらず、公に供するものではない。いかなるクレーム要素も、その要素が「ための手段」という句を使用して明確に記載されていない限り、または方法クレームの場合には、その要素が「ためのステップ」という句を使用して記載されていない限り、米国特許法第１１２条第６項の規定の下で解釈されるべきではない。
以下に本願の出願当初の特許請求の範囲に記載された発明を付記する。
[Ｃ１]  ネットワークノードにおいて動作可能なワイヤレス通信の方法であって、
前記ネットワークノードに関連付けられたユーザ機器（ＵＥ）に同期能力要求を送信することと、
前記同期能力要求への応答として前記ＵＥから同期能力応答を受信することと、
前記ＵＥから少なくとも１つのターゲットセルの同期情報を受信することと、
前記受信された同期情報に基づいて、前記ネットワークノードの時間および周波数を前記少なくとも１つのターゲットセルの時間および周波数と同期させることとを備える、方法。
[Ｃ２]  前記ネットワークノードが、フェムトセル、スモールセル、低電力セル、ピコセル、またはメトロセルを備え、前記少なくとも１つのターゲットセルがマクロセルを備える、Ｃ１に記載の方法。
[Ｃ３]  前記ＵＥに同期支援データを送信することをさらに備え、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ１に記載の方法。
[Ｃ４]  前記同期情報を取得したいという同期情報要求を前記ＵＥに送信することをさらに備える、Ｃ１に記載の方法。
[Ｃ５]  前記同期情報が周波数間測定値または周波数内測定値を備える、Ｃ１に記載の方法。
[Ｃ６]  前記同期情報が、前記少なくとも１つのターゲットセルの第１の基準信号と前記ネットワークノードの第２の基準信号との間の時間オフセットを備える、Ｃ１に記載の方法。
[Ｃ７]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ６に記載の方法。
[Ｃ８]  前記同期情報が、前記第１の基準信号と前記第２の基準信号との間の周波数オフセットをさらに備える、Ｃ６に記載の方法。
[Ｃ９]  前記時間および周波数を同期させることが、前記同期情報に基づいて、前記少なくとも１つのターゲットセルの第１の基準信号と前記ネットワークノードの第２の基準信号との間の周波数オフセットを決定することを備える、Ｃ１に記載の方法。
[Ｃ１０]  前記周波数オフセットが前記ＵＥまたは前記ネットワークノードにおいて計算される、Ｃ９に記載の方法。
[Ｃ１１]  ユーザ機器（ＵＥ）において動作可能なワイヤレス通信の方法であって、
前記ＵＥをサービスしているネットワークノードから同期能力要求を受信することと、
前記同期能力要求への応答として前記ネットワークノードに同期能力応答を送信することと、
少なくとも１つのターゲットセルの同期情報を取得することと、
前記同期情報を前記ネットワークノードに送信することと
を備える、方法。
[Ｃ１２]  前記ネットワークノードから同期支援データを受信することをさらに備え、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ１１に記載の方法。
[Ｃ１３]  前記同期情報を取得したいという同期情報要求を前記ネットワークノードから受信することをさらに備える、Ｃ１１に記載の方法。
[Ｃ１４]  前記同期情報が周波数間測定値または周波数内測定値を備える、Ｃ１１に記載の方法。
[Ｃ１５]  前記同期情報が、前記少なくとも１つのターゲットセルの第１の基準信号と前記ネットワークノードの第２の基準信号との間の時間オフセットを備える、Ｃ１１に記載の方法。
[Ｃ１６]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ１５に記載の方法。
[Ｃ１７]  前記同期情報が、前記第１の基準信号と前記第２の基準信号との間の周波数オフセットをさらに備える、Ｃ１５に記載の方法。
[Ｃ１８]  前記第１の基準信号と前記第２の基準信号との間の複数の時間オフセットに基づいて前記周波数オフセットを決定することをさらに備える、Ｃ１７に記載の方法。
[Ｃ１９]  前記同期情報を取得することが、
前記少なくとも１つのターゲットセルからの第１の基準信号と、前記ネットワークノードからの第２の基準信号とを受信することと、
前記第１の基準信号と前記第２の基準信号との間のタイミング差を決定することとを備える、Ｃ１１に記載の方法。
[Ｃ２０]  ネットワークノードであって、
前記ネットワークノードに関連付けられたユーザ機器（ＵＥ）に同期能力要求を送信するための手段と、
前記同期能力要求への応答として前記ＵＥから同期能力応答を受信するための手段と、
前記ＵＥから少なくとも１つのターゲットセルの同期情報を受信するための手段と、
前記受信された同期情報に基づいて、前記ネットワークノードの時間および周波数を前記少なくとも１つのターゲットセルの時間および周波数と同期させるための手段とを備える、ネットワークノード。
[Ｃ２１]  前記ネットワークノードが、フェムトセル、スモールセル、低電力セル、ピコセル、またはメトロセルを備え、前記少なくとも１つのターゲットセルがマクロセルを備える、Ｃ２０に記載のネットワークノード。
[Ｃ２２]  前記ＵＥに同期支援データを送信するための手段をさらに備え、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ２０に記載のネットワークノード。
[Ｃ２３]  前記同期情報を取得したいという同期情報要求を前記ＵＥに送信するための手段をさらに備える、Ｃ２０に記載のネットワークノード。
[Ｃ２４]  前記同期情報が周波数間測定値または周波数内測定値を備える、Ｃ２０に記載のネットワークノード。
[Ｃ２５]  前記同期情報が、前記少なくとも１つのターゲットセルの第１の基準信号と前記ネットワークノードの第２の基準信号との間の時間オフセットを備える、Ｃ２０に記載のネットワークノード。
[Ｃ２６]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ２５に記載のネットワークノード。
[Ｃ２７]  前記同期情報が、前記第１の基準信号と前記第２の基準信号との間の周波数オフセットをさらに備える、Ｃ２５に記載のネットワークノード。
[Ｃ２８]  前記時間および周波数を同期させるための前記手段が、前記同期情報に基づいて、前記少なくとも１つのターゲットセルの第１の基準信号と前記ネットワークノードの第２の基準信号との間の周波数オフセットを決定するための手段を備える、Ｃ２０に記載のネットワークノード。
[Ｃ２９]  前記周波数オフセットが前記ＵＥまたは前記ネットワークノードにおいて計算される、Ｃ２８に記載のネットワークノード。
[Ｃ３０]  ユーザ機器（ＵＥ）であって、
前記ＵＥをサービスしているネットワークノードから同期能力要求を受信するための手段と、
前記同期能力要求への応答として前記ネットワークノードに同期能力応答を送信するための手段と、
少なくとも１つのターゲットセルの同期情報を取得するための手段と、
前記同期情報を前記ネットワークノードに送信するための手段と
を備える、ＵＥ。
[Ｃ３１]  前記ネットワークノードから同期支援データを受信するための手段をさらに備え、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ３０に記載のＵＥ。
[Ｃ３２]  前記同期情報を取得したいという同期情報要求を前記ネットワークノードから受信するための手段をさらに備える、Ｃ３０に記載のＵＥ。
[Ｃ３３]  前記同期情報が周波数間測定値または周波数内測定値を備える、Ｃ３０に記載のＵＥ。
[Ｃ３４]  前記同期情報が、前記少なくとも１つのターゲットセルの第１の基準信号と前記ネットワークノードの第２の基準信号との間の時間オフセットを備える、Ｃ３０に記載のＵＥ。
[Ｃ３５]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ３４に記載のＵＥ。
[Ｃ３６]  前記同期情報が、前記第１の基準信号と前記第２の基準信号との間の周波数オフセットをさらに備える、Ｃ３４に記載のＵＥ。
[Ｃ３７]  前記第１の基準信号と前記第２の基準信号との間の複数の時間オフセットに基づいて前記周波数オフセットを決定するための手段をさらに備える、Ｃ３６に記載のＵＥ。
[Ｃ３８]  前記同期情報を取得するための前記手段が、
前記少なくとも１つのターゲットセルからの第１の基準信号と、前記ネットワークノードからの第２の基準信号とを受信するための手段と、
前記第１の基準信号と前記第２の基準信号との間のタイミング差を決定するための手段と
を備える、Ｃ３０に記載のＵＥ。
[Ｃ３９]  ネットワークノードに、
前記ネットワークノードに関連付けられたユーザ機器（ＵＥ）に同期能力要求を送信することと、
前記同期能力要求への応答として前記ＵＥから同期能力応答を受信することと、
前記ＵＥから少なくとも１つのターゲットセルの同期情報を受信することと、
前記受信された同期情報に基づいて、前記ネットワークノードの時間および周波数を前記少なくとも１つのターゲットセルの時間および周波数と同期させることとを行わせるためのコードを備えるコンピュータ可読記憶媒体
を備える、コンピュータプログラム製品。
[Ｃ４０]  前記ネットワークノードが、フェムトセル、スモールセル、低電力セル、ピコセル、またはメトロセルを備え、前記少なくとも１つのターゲットセルがマクロセルを備える、Ｃ３９に記載のコンピュータプログラム製品。
[Ｃ４１]  前記ネットワークノードに、
前記ＵＥに同期支援データを送信すること
を行わせるためのコードをさらに備え、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ３９に記載のコンピュータプログラム製品。
[Ｃ４２]  前記ネットワークノードに、前記同期情報を取得したいという同期情報要求を前記ＵＥに送信することを行わせるためのコードをさらに備える、Ｃ３９に記載のコンピュータプログラム製品。
[Ｃ４３]  前記同期情報が周波数間測定値または周波数内測定値を備える、Ｃ３９に記載のコンピュータプログラム製品。
[Ｃ４４]  前記同期情報が、前記少なくとも１つのターゲットセルの第１の基準信号と前記ネットワークノードの第２の基準信号との間の時間オフセットを備える、Ｃ３９に記載のコンピュータプログラム製品。
[Ｃ４５]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ４４に記載のコンピュータプログラム製品。
[Ｃ４６]  前記同期情報が、前記第１の基準信号と前記第２の基準信号との間の周波数オフセットをさらに備える、Ｃ４４に記載のコンピュータプログラム製品。
[Ｃ４７]  前記時間および周波数を同期させるための前記コードが、前記ネットワークノードに、前記同期情報に基づいて、前記少なくとも１つのターゲットセルの第１の基準信号と前記ネットワークノードの第２の基準信号との間の周波数オフセットを決定することを行わせるためのコードをさらに備える、Ｃ３９に記載のコンピュータプログラム製品。
[Ｃ４８]  前記周波数オフセットが前記ＵＥまたは前記ネットワークノードにおいて計算される、Ｃ４７に記載のコンピュータプログラム製品。
[Ｃ４９]  ユーザ機器（ＵＥ）に、
前記ＵＥをサービスしているネットワークノードから同期能力要求を受信することと、
前記同期能力要求への応答として前記ネットワークノードに同期能力応答を送信することと、
少なくとも１つのターゲットセルの同期情報を取得することと、
前記同期情報を前記ネットワークノードに送信することと
を行わせるためのコードを備えるコンピュータ可読記憶媒体
を備える、コンピュータプログラム製品。
[Ｃ５０]  前記ＵＥに、前記ネットワークノードから同期支援データを受信することを行わせるためのコードをさらに備え、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ４９に記載のコンピュータプログラム製品。
[Ｃ５１]  前記ＵＥに、前記同期情報を取得したいという同期情報要求を前記ネットワークノードから受信することを行わせるためのコードをさらに備える、Ｃ４９に記載のコンピュータプログラム製品。
[Ｃ５２]  前記同期情報が周波数間測定値または周波数内測定値を備える、Ｃ４９に記載のコンピュータプログラム製品。
[Ｃ５３]  前記同期情報が、前記少なくとも１つのターゲットセルの第１の基準信号と前記ネットワークノードの第２の基準信号との間の時間オフセットを備える、Ｃ４９に記載のコンピュータプログラム製品。
[Ｃ５４]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ５３に記載のコンピュータプログラム製品。
[Ｃ５５]  前記同期情報が、前記第１の基準信号と前記第２の基準信号との間の周波数オフセットをさらに備える、Ｃ５３に記載のコンピュータプログラム製品。
[Ｃ５６]  前記ＵＥに、前記第１の基準信号と前記第２の基準信号との間の複数の時間オフセットに基づいて前記周波数オフセットを決定することを行わせるためのコードをさらに備える、Ｃ５５に記載のコンピュータプログラム製品。
[Ｃ５７]  前記同期情報を取得するための前記コードが、前記ＵＥに、
前記少なくとも１つのターゲットセルからの第１の基準信号と、前記ネットワークノードからの第２の基準信号とを受信することと、
前記第１の基準信号と前記第２の基準信号との間のタイミング差を決定することとを行わせるためのコードを備える、Ｃ４９に記載のコンピュータプログラム製品。
[Ｃ５８]  ネットワークノードであって、
少なくとも１つのプロセッサと、
前記少なくとも１つのプロセッサに結合された通信インターフェースと、
前記少なくとも１つのプロセッサに結合されたメモリとを備え、
ここにおいて、前記少なくとも１つのプロセッサが、
前記ネットワークノードに関連付けられたユーザ機器（ＵＥ）に同期能力要求を送信することと、
前記同期能力要求への応答として前記ＵＥから同期能力応答を受信することと、
前記ＵＥから少なくとも１つのターゲットセルの同期情報を受信することと、
前記受信された同期情報に基づいて、前記ネットワークノードの時間および周波数を前記少なくとも１つのターゲットセルの時間および周波数と同期させることとを行うように構成された、ネットワークノード。
[Ｃ５９]  前記ネットワークノードが、フェムトセル、スモールセル、低電力セル、ピコセル、またはメトロセルを備え、前記少なくとも１つのターゲットセルがマクロセルを備える、Ｃ５８に記載のネットワークノード。
[Ｃ６０]  前記少なくとも１つのプロセッサが、
前記ＵＥに同期支援データを送信すること
を行うようにさらに構成され、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ５８に記載のネットワークノード。
[Ｃ６１]  前記少なくとも１つのプロセッサが、前記同期情報を取得したいという同期情報要求を前記ＵＥに送信するようにさらに構成された、Ｃ５８に記載のネットワークノード。
[Ｃ６２]  前記同期情報が周波数間測定値または周波数内測定値を備える、Ｃ５８に記載のネットワークノード。
[Ｃ６３]  前記同期情報が、前記少なくとも１つのターゲットセルの第１の基準信号と前記ネットワークノードの第２の基準信号との間の時間オフセットを備える、Ｃ５８に記載のネットワークノード。
[Ｃ６４]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ６３に記載のネットワークノード。
[Ｃ６５]  前記同期情報が、前記第１の基準信号と前記第２の基準信号との間の周波数オフセットをさらに備える、Ｃ６３に記載のネットワークノード。
[Ｃ６６]  前記時間および周波数を同期させるために、前記少なくとも１つのプロセッサが、前記同期情報に基づいて、前記少なくとも１つのターゲットセルの第１の基準信号と前記ネットワークノードの第２の基準信号との間の周波数オフセットを決定するようにさらに構成された、Ｃ５８に記載のネットワークノード。
[Ｃ６７]  前記周波数オフセットが前記ＵＥまたは前記ネットワークノードにおいて計算される、Ｃ６６に記載のネットワークノード。
[Ｃ６８]  ユーザ機器（ＵＥ）であって、
少なくとも１つのプロセッサと、
前記少なくとも１つのプロセッサに結合された通信インターフェースと、
前記少なくとも１つのプロセッサに結合されたメモリとを備え、
ここにおいて、前記少なくとも１つのプロセッサが、
前記ＵＥをサービスしているネットワークノードから同期能力要求を受信することと、
前記同期能力要求への応答として前記ネットワークノードに同期能力応答を送信することと、
少なくとも１つのターゲットセルの同期情報を取得することと、
前記同期情報を前記ネットワークノードに送信することと
を行うように構成された、ＵＥ。
[Ｃ６９]  前記少なくとも１つのプロセッサが、前記ネットワークノードから同期支援データを受信するようにさらに構成され、
ここにおいて、前記同期支援データが、前記少なくとも１つのターゲットセルの識別情報、周波数、および帯域幅情報のうちの少なくとも１つ、または前記少なくとも１つのターゲットセルの基準信号構成を備える、
Ｃ６８に記載のＵＥ。
[Ｃ７０]  前記少なくとも１つのプロセッサが、前記同期情報を取得したいという同期情報要求を前記ネットワークノードから受信するようにさらに構成された、Ｃ６８に記載のＵＥ。
[Ｃ７１]  前記同期情報が周波数間測定値または周波数内測定値を備える、Ｃ６８に記載のＵＥ。
[Ｃ７２]  前記同期情報が、前記少なくとも１つのターゲットセルの第１の基準信号と前記ネットワークノードの第２の基準信号との間の時間オフセットを備える、Ｃ６８に記載のＵＥ。
[Ｃ７３]  前記第１の基準信号が、セル固有基準信号（ＣＲＳ）、マルチキャストブロードキャスト単一周波数ネットワーク基準信号（ＭＢＳＦＮ−ＲＳ）、ＵＥ固有基準信号（ＤＭ−ＲＳ）、測位基準信号（ＰＲＳ）、またはチャネル状態情報基準信号（ＣＳＩ−ＲＳ）のうちの少なくとも１つを備える、Ｃ７２に記載のＵＥ。
[Ｃ７４]  前記同期情報が、前記第１の基準信号と前記第２の基準信号との間の周波数オフセットをさらに備える、Ｃ７２に記載のＵＥ。
[Ｃ７５]  前記少なくとも１つのプロセッサが、
前記第１の基準信号と前記第２の基準信号との間の複数の時間オフセットに基づいて前記周波数オフセットを決定すること
を行うようにさらに構成された、Ｃ７４に記載のＵＥ。
[Ｃ７６]  前記同期情報を取得するために、前記少なくとも１つのプロセッサが、
前記少なくとも１つのターゲットセルからの第１の基準信号と、前記ネットワークノードからの第２の基準信号とを受信することと、
前記第１の基準信号と前記第２の基準信号との間のタイミング差を決定することとを行うようにさらに構成された、Ｃ６８に記載のＵＥ。
【図１】
0006271718.tif 000002
【図２】
0006271718.tif 000003
【図３】
0006271718.tif 000004
【図４】
0006271718.tif 000005
【図５】
0006271718.tif 000006
【図６】
0006271718.tif 000007
【図７】
0006271718.tif 000008
【図８】
0006271718.tif 000009
【図９】
0006271718.tif 000010
【図１０】
0006271718.tif 000011
【図１１】
0006271718.tif 000012
【図１２】
0006271718.tif 000013
【図１３】
0006271718.tif 000014